(57)【要約】【課題】本発明は、垂直荷重が加わった場合であっても、スカート部材に変形や破損が生じにくい洋風便器の提供を課題とする。【解決手段】上記課題を解決するため、本発明は、便器本体２の側面にスカート部材３が装着される洋風便器１であって、前記スカート部材３の下部に第１内向フランジ１２があることを特徴とした。これにより、スカート部材３にかかる垂直荷重をフランジ面１２で受けることができるようになる。このため、下端部に働く力がフランジ面１２で分散されることになる。その結果、スカート部材３に垂直荷重が働いた場合に、スカート部材３の下部に変形や破損が生じることを防止することができる。【選択図】図１
2007291725.tif 000002
【特許請求の範囲】
【請求項１】
便器本体の側面にスカート部材が装着される洋風便器であって、前記スカート部材の下部に第１内向フランジがあることを特徴とする洋風便器。
【請求項２】
便器本体側に第１嵌合溝が形成され、スカート部材の第１内向フランジを前記第１嵌合溝に嵌合させることにより、スカート部材を便器本体に装着可能であることを特徴とする請求項１に記載の洋風便器。
【請求項３】
前記洋風便器は、便器本体を床に固定する床固定部材を備えており、前記第１嵌合溝が床固定部材と床とで形成されることを特徴とする請求項２に記載の洋風便器。
【請求項４】
スカート部材の上部に第２内向フランジがあり、便器本体に第２内向フランジに対応する第２嵌合溝があり、第２内向フランジが第２嵌合溝に嵌合されることを特徴とする請求項１〜３のいずれか一項に記載の洋風便器。
【請求項５】
スカート部材を所定の装着位置で固定するストッパーが備えられたことを特徴とする請求項１〜４のいずれか一項に記載の洋風便器。
【発明の詳細な説明】
【技術分野】
【０００１】
本発明は、便器本体の側面にスカート部材が装着される洋風便器に関するものである。
【背景技術】
【０００２】
従来から、住宅等の便器には、陶磁器質からなる衛生陶器が広く使用されている。しかし、衛生陶器は陶磁器質からなるため、成形や焼成等の製造工程において、変形や割れが発生するおそれがあり、一定の品質を保持して製造することが困難であった。
【０００３】
そのため、便器の全体又は一部が、樹脂等の陶磁器質以外の工業材料で構成された便器の試作が本発明者により行われている。例えば、特許文献１では、洋風便器の側面を構成するスカート部材及び便座の下方に配置されるリム部が樹脂で構成された洋風便器が開示されている。
【特許文献１】特開平１０−３７２７９号公報
【発明の開示】
【発明が解決しようとする課題】
【０００４】
使用者は洋風便器の使用に際し、便座に腰掛けて便器を使用する。この場合、便器には使用者の体重が垂直荷重として加わる。このとき、洋風便器の側面を構成するスカート部材も、便器全体にかかる垂直荷重の一部を負担することになる。ここで、スカート部材にかかる垂直荷重は、スカート部材の下端部を介して床に伝えられる。
【０００５】
このため、体重のある使用者が勢いよく便器に腰掛けたときなどは、スカート部材に加わる垂直荷重によって、スカート部材の下端部に変形が生じたりや割れなどの破損が生じたりするおそれがある。
【０００６】
そこで本発明は、上記問題点を鑑みて、垂直荷重が加わった場合であっても、スカート部材に変形や破損が生じにくい洋風便器の提供を課題とする。
【課題を解決するための手段】
【０００７】
上記課題を解決するため、請求項１の発明は、便器本体の側面にスカート部材が装着される洋風便器であって、前記スカート部材の下部に第１内向フランジがあることを特徴とした。これにより、スカート部材にかかる垂直荷重をフランジ面で受けることができるようになる。このため、下端部に働く力がフランジ面で分散されることになる。その結果、スカート部材に垂直荷重が働いた場合に、スカート部材の下部に変形や破損が生じることを防止することができる。
【０００８】
また、内向きのフランジを設けることにより、スカート部材の剛性を向上させることができるため、スカート部材は変形しにくい。さらに、内向きのフランジとしたことから、便器本体に装着されたスカート部材の表面には余計な突起が現れない。そのため、洋風便器の側面を無駄のない流線形の外観に仕上げることができる。
【０００９】
請求項２の発明は、請求項１に記載の発明において、便器本体側に第１嵌合溝が形成され、スカート部材の第１内向フランジを前記第１嵌合溝に嵌合させることにより、スカート部材を便器本体に装着可能であることを特徴とした。これにより、便器本体側の嵌合溝にスカート部材のフランジを嵌合させて、スカート部材を便器本体に装着することができるため、便器本体に対するスカート部材の位置決めが容易になる。
【００１０】
請求項３の発明は、請求項２に記載の発明において、前記洋風便器は、便器本体を床に固定する床固定部材を備えており、前記第１嵌合溝が床固定部材と床とで形成されることを特徴とした。これにより、第１内向フランジを床に当接させることができ、スカート部材に働く垂直荷重を確実に床に伝えることができる。また、請求項３の発明によれば、スカート部材と床とを固定するためのねじ止めが不要であるため、スカート部材を便器本体に着脱するのに手間がかからず、外観も簡素にすることができる。
【００１１】
請求項４の発明は、請求項１〜３に記載の発明において、スカート部材の上部に第２内向フランジがあり、便器本体に第２内向フランジに対応する第２嵌合溝があり、第２内向フランジが第２嵌合溝に嵌合されることを特徴とした。これにより、便器本体とスカート部材との一体性を高めることができ、便器本体にかかる垂直荷重をスカート部材に確実に伝えることができる。
【００１２】
請求項５の発明は、請求項１〜４に記載のいずれかの発明において、スカート部材を所定の装着位置で固定するストッパーが備えられたことを特徴とした。これにより、スカート部材を便器本体に固定するのにねじ等が不要となる。そして、ストッパーによって、スカート部材を便器本体に固定させることができるため、ワンタッチでスカート部材を装着することができる。
【００１３】
また、本発明に係る洋風便器は、スカート部材によって、便器本体のうち床や壁に固定された部分を覆い隠すことができ、スカート部材自身にもねじ止め部分がない。そのため、外観からねじ止め部分をなくして、便器全体の美感を向上させることができる。
【発明の効果】
【００１４】
本発明では、スカート部材の下端部に設けた内向フランジによって、スカート部材にかかる垂直荷重を受けることができるため、スカート部材の下端部に変形や破損が生じるのを防止することができる。
【発明を実施するための最良の形態】
【００１５】
図１は、本発明を実施した洋風便器１の分解斜視図であり、図２は、図１に示すスカート部材３のＡＡ断面矢視図であり、図３は、床固定部材１５の断面図である。
【００１６】
本実施形態に係る洋風便器１は、便器本体２とスカート部材３によって構成されている。便器本体２は、図示しない蓋４及び便座５、と据え付け部６によって構成されている。据え付け部６は、公知のそれと同様に、排泄物を受けるために上面が開口したボール面を含むボール部８と、ボール部８の縁部を覆うリム部７と、ボール部８に続く取り付け部９を備えており、リム部７の下部には上方嵌合溝２１（第２嵌合溝）が形成されている。
【００１７】
また、ボール部８の内面となるボール面には、一部に水が溜まり、残る一部が露出するものであり、露出する部位は水流によって洗い流すことができる。そして、リム部７の上部に前記した便座５があり、さらに便座５の上に蓋４が設けられている。便座５及び蓋４は、公知のそれと同様に据え付け部６に対して揺動（開閉）可能である。
【００１８】
スカート部材３は、便器本体２に装着されるものであり、樹脂製である。また、便器本体２に対する使用者の立ち位置を前方として、スカート部材３は、据え付け部６の前面側及び側面側を覆う。スカート部材３は、図１の様に上部側の径が大きく、下部側の径が小さい。そのためスカート部材３の側面は、上部側から下側にかけて内方向に傾斜し、オーバーハング形状を呈している。
【００１９】
また、図１及び図２に示すようにスカート部材３の上端部には上フランジ部１１（第２内向フランジ）が内向きに形成されており、下端部には同様に下フランジ部１２（第１内向フランジ）が内向きに形成されている。そして、下フランジ部１２の両側端には突起２２が設けられている。
【００２０】
本実施形態に係る洋風便器１は、床固定部材１５によって床に据え付けられている。床固定部材１５は、一枚の金属板を折り曲げて形成され、図３に示すように、第１底面１６と、第２底面１７、内側壁１８、外側壁１９から構成される。第１底面１６と第２底面１７とは段状に形成されている。内側壁１８は第１底面１６と隣接しており、外側壁１９は第２底面１７と隣接している。
【００２１】
図１に示すように床固定部材１５は、内側壁１８を便器本体２の据え付け部分６に当接させ、第１底面１６を床２６に当接させ、そのそれぞれをボルトで固定して設置される。このとき、図３に示すように第２底面１７と床２６との間には、下方嵌合溝２０（第１嵌合溝）として機能する所定の空間が形成される。また、下方嵌合溝２０を形成する第２底面１７の所定の位置には、凹部２３が設けられている。本実施形態においては、便器本体２の左右それぞれに床固定部材１５が配置されており、左右の床固定部材１５によって便器本体２は床２６に据え付けられる。
【００２２】
続いて、便器本体２へのスカート部材３の装着方法について説明する。上記のようにして床２６に据え付けられた便器本体２に対し、スカート部材３は、図１に示すように便器本体２の前方から装着される。
【００２３】
まず、便器本体２の前方からスカート部材３の上フランジ部１１の左右の端部を上方嵌合溝２１に位置合わせし、下フランジ部１２の左右の端部を下方嵌合溝２０に位置合わせする。その後、スカート部材３を後方に向かって押し込むと、上フランジ部１１は上方嵌合溝２１に挿入され、下フランジ部１２は下方嵌合溝２０に挿入される。そして、そのままスカート部材３を後方に押し込むと、上フランジ部１１と下フランジ部１２が、上方嵌合溝２１と下方嵌合溝２２のそれぞれに沿って移動する。その後、スカート部材３を所定の装着位置にまで移動させると、図４に示すように、下フランジ部１２の側端部に設けた突起２２が、下方嵌合溝２０に設けられた凹部２３に嵌まり込む。これにより、スカート部材３の移動が制限され、スカート部材３を便器本体に対して固定させることができる。
【００２４】
また、便器本体２に装着されたスカート部材３は、前方に引き出すことにより便器本体２から取り外すことができる。使用者は、スカート部材３を少し強めに引く出すことにより、突起２２を凹部２３から抜き出すことができ、便器本体２の前方に引き出すことにより取り外すことができる。
【００２５】
このように、本実施形態に係るスカート部材３は、便器本体２に対し容易に装着及び取り外すことができる。このため、スカート部材３を装着するのにねじ等が不要である。また、便器本体２を床２６に据え付けている床固定金具１５等もスカート部材３によって覆い隠される。その結果、本実施形態における洋風便器１は、外観上、ねじ止め部分をなくすことができ、従来までの洋風便器に比べ美感を向上させることができる。
【００２６】
また、使用者が便座５に腰掛けて洋風便器１を使用する際、洋風便器１全体には、使用者の体重が垂直荷重として加わる。このとき、スカート部材３は、この垂直荷重の一部を負担することになる。本実施形態に係るスカート部材３には、便器本体２の上方嵌合溝２１に嵌合させた上フランジ部を介して、便器本体２から垂直荷重が伝達される。
【００２７】
本実施形態に係るスカート部材３は下部に下フランジ部１２を備えており、スカート部材３に働く垂直荷重は下フランジ部１２を介して床２６に伝達される。ここで、スカート部材３の下部では、スカート部材３に伝達された垂直荷重が下フランジ面１２において分散されるため、垂直荷重によってスカート部材３に変形や割れ等の破損が生じにくい。
【００２８】
また、本実施形態に係るスカート部材３は、上記のように取り外しが容易であるため、取り外して洗浄することもできる。さらに、スカート部材３に破損が生じた場合、従来の洋風便器であれば便器全体を交換する必要があったが、本実施形態に係る洋風便器１においては、スカート部材３だけを交換すればよい。ここで、本実施形態に係るスカート部材３は樹脂製であるため、従来の衛生陶器からなる洋風便器と比べ安く製造することができる。そのため、従来の洋風便器よりも交換にかかる費用を安く抑えることができる。
【００２９】
上記実施形態において、便器本体２は床固定部材１５によって床２６に据え付けられたが、本発明は、床２６に据え付けられる洋風便器１に限定されるものではない。取り付け部９ａを便器本体２の背面側に設け、便器本体２を壁面に取り付けて固定支持する方式の壁掛け式便器についても、本発明を適用することができる。
【００３０】
上記実施形態では、ストッパーとして下フランジ部１２に突起２２を設け、下方嵌合溝２０（床固定部材１５）に凹部２３をそれぞれ設けたが、下フランジ部１２に凹部２３を設け、下方嵌合溝２０に突起２２を設けてもよい。また、ストッパーの位置については特に限定があるわけではなく、例えば、上方フランジ部１１に突起２２を設け、上方嵌合溝２１に凹部２３を設けてもよい。
【図面の簡単な説明】
【００３１】
【図１】本発明を実施した洋風便器の分解斜視図である。
【図２】図１のスカート部材のＡＡ断面矢視図である。
【図３】本実施形態に係る床固定部材の断面図である。
【図４】下フランジ部の突起が下方嵌合溝の凹部に嵌まり込んだ状態を示す断面図である。
【符号の説明】
【００３２】
１    洋風便器
２    便器本体
３    スカート部材
１１  上フランジ部
１２  下フランジ部
２０  下方嵌合溝
２１  上方嵌合溝
２２  突起
２３  凹部
２６  床
【図１】
2007291725.tif 000003
【図２】
2007291725.tif 000004
【図３】
2007291725.tif 000005
【図４】
2007291725.tif 000006